(57)【特許請求の範囲】
【請求項１】
天壁と容器口部外周面に嵌合する外壁を有するキャップ本体と、該キャップ本体の前記外壁の外周部に嵌合する円筒壁を有する緊締環との２部材からなり、前記キャップ本体は、前記外壁の内周面に容器口部の環状係止部と係合する係止突部が形成され且つ外周面に外側係止部が形成され、前記緊締環は、前記円筒壁の下端内周部に前記係止部と係止する係止突片が形成されてなり、該係止突片は、円筒壁の下端内周部に内側上方に傾斜するように等間隔に形成された複数の可撓性フラップ片で構成され、前記緊締環は、前記キャップ本体の外壁に嵌合して該外壁の拡径を拘束して開栓を阻止する開栓阻止位置から前記外壁が拡径可能となる開栓可能位置に変位可能であるが、該開栓可能位置から前記開栓阻止位置への変位は前記複数の可撓性フラップ片により阻止されるようになっていることを特徴とする不正開栓防止キャップ。
【請求項２】
前記キャップ本体の外壁には、該外壁下端から少なくとも前記係止突部位置まで軸方向に沿って複数のスリットが形成されている請求項１記載の不正開栓防止キャップ。
【請求項３】
前記キャップ本体の外壁外周面は、前記スリットより上方位置から外方に突出するようにスカート壁が形成されている請求項２記載の不正開栓防止キャップ。
【請求項４】
前記外側係止部は、上方位置に形成された水平面とその最深部から外側に下降傾斜する傾斜面とからなる楔状断面を有する係止凹部からなり、開栓阻止位置で前記係止突片が前記係止凹部に係合して保持されると共に、前記緊締環の上方への移動が阻止される請求項１、２又は３記載の不正開栓防止キャップ。
【発明の詳細な説明】
【０００１】
【産業上の利用分野】
本発明は、不正開栓防止機能を有するキャップ、特に打ち込み式の合成樹脂キャップに好適な不正開栓防止キャップに関する。
【０００２】
【従来の技術】
従来、不正開栓防止キャップは種々提案されており、一般に螺子キャップでは容器と螺子嵌合する外壁の下端部に弱化線を介して一体成形されたタンパーエビデントバンドを有し、打ち込み式キャップではキャップ本体と別体の緊締蓋を被着したものが知られている（例えば、実公昭５８−２７７１号公報）。これら従来のものは、何れもタンパーエビデントバンド又は緊締蓋を破断しなければ開栓できない構成になっており、それらが破断されているか否かを確認することによって不正開栓の有無が判断できるようになっている。
【０００３】
【発明が解決しようとする課題】
従来の不正開栓防止キャップは、前記のようにタンパーエビデントバンド又は緊締キャップ等を破断しなければ開栓できないため、開栓時にはそれらを破断させるために強い力を要し、弱化線の形成具合等によっては開栓が困難な場合があった。一方、それらの開栓の難易は、破断個所の強度によるので、常に一定の開栓度を有するためには、キャップ製造工程における弱化線の形成や板厚等の厳密な管理が必要である等の問題点があった。
【０００４】
そこで、本発明は、従来の不正開栓防止キャップの上記問題点を解消しようとするものであって、特に打ち込み式の合成樹脂キャップにおいて、緊締環を破断させることなく単に変位させるだけで簡単に開栓でき、しかも確実な不正開栓防止機能を有するキャップを提供することを目的とする。
【０００５】
【課題を解決するための手段】
上記問題点を解決する本発明の不正開栓防止キャップは、天壁と容器口部外周面に嵌合する外壁を有するキャップ本体と、該キャップ本体の前記外壁の外周部に嵌合する円筒壁を有する緊締環との２部材からなり、前記キャップ本体は、前記外壁の内周面に容器口部の環状係止部と係合する係止突部が形成され且つ外周面に外側係止部が形成され、前記緊締環は、前記円筒壁の下端内周部に前記係止部と係止する係止突片が形成されてなり、該係止突片は、円筒壁の下端内周部に内側上方に傾斜するように等間隔に形成された複数の可撓性フラップ片で構成され、前記緊締環は、前記キャップ本体の外壁に嵌合して該外壁の拡径を拘束して開栓を阻止する開栓阻止位置から前記外壁が拡径可能となる開栓可能位置に変位可能であるが、該開栓可能位置から前記開栓阻止位置への変位は前記複数の可撓性フラップ片により阻止されるようになっていることを特徴とするものである。
【０００６】
前記キャップ本体の外壁に、該外壁下端から少なくとも前記係止突部位置まで達する複数のスリットを形成することによって、開栓時に該外壁が容易に拡径でき楽に開栓できるので望ましい。また、前記キャップ本体の外壁外周面に、前記スリットより上方位置から外方に突出するようにスカート壁を形成することが望ましい。
【０００７】
前記外側係止部は、上方位置に形成された水平面とその最深部から外側に下降傾斜する傾斜面とからなる楔状断面を有する係止凹部からなり、開栓阻止位置で前記係止突片が前記係止凹部に係合して保持されると共に、前記緊締環の上方への移動が阻止されるように形成するのが望ましい。
【０００８】
【作用】
開栓阻止位置では、キャップ本体の係止突部が容器の環状係止部に係止するように、緊締環が外壁に密着嵌合しているので、外壁の拡径が阻止され開栓できない。その状態では、係止突片は外壁の外側係止部に嵌まり込んでいる。この状態で緊締環は保持されることになる。そして、上方への移動は係止突片又はスカート壁下端によって阻止され、下方への移動は緊締環外面を下方に下げることにより行うことができる。
【０００９】
開栓するとき、緊締環を開栓阻止位置から下方に押し下げると、外壁から外れて開栓可能位置に変位し、外壁の拘束を解くことが出来る。この状態でキャップ本体を上方に引き上げると、外壁にスリットが形成されているので容易に拡径し、係止突部が容器口部の環状係止部を乗り超え、楽に開栓することができる。
【００１０】
一旦開栓してから再び緊締環を上方に引き上げてキャップ本体の外壁に元の状態に嵌合させようとしても、緊締環内周部に形成した係止突片が邪魔になり、緊締環の上方への移動はキャップ本体の外壁の外側係止部又は外壁下端によって阻止され、完全に元の位置まで上昇させることは不可能である。
【００１１】
従って、いたずら等で不正開栓後、元の状態に緊締環とキャップ本体とを密着嵌合させることはできないので、不正開栓があったことがすぐ判別でき、確実なタンパーエビデント機能を発揮することができる。
【００１２】
【実施例】
以下、本発明の実施例を図面に基づいて詳細に説明する。
図１は、本発明に係る実施例の不正開栓防止キャップを容器に装着した状態の断面図を示している。本実施例の不正開栓防止キャップ（以下、単にキャップと云う）１は、キャップ本体２と該キャップ本体の外壁の外周部に嵌合する緊締環３との２部材からなり、それぞれが合成樹脂で成形されている。
【００１３】
キャップ本体２は、天壁５から垂下して容器２０の口部内周面に嵌合する環状内壁６と、口部外周面に嵌合する外壁７とからなる。該外壁７は、その内周面に容器口部の環状係止部２１に係止する係止突部８が形成されていると共に、外周面に後述する緊締環の係止突片が係合する外側係止部が形成されている。本実施例では、外側係止部を係止凹部９として、係止突片をフラップ片１７としてそれぞれ形成してある。前記係止凹部９は、前記フラップ片１７が上方に移動するときに係止するように、上方位置に水平面１３を有しその最深部から外側に傾斜する傾斜面１４を有する断面楔状に形成されている。
【００１４】
そして、外壁７は、図４に明示するように、その周面に等間隔に下端からスリット１０が形成されて複数片に分割され、縮径及び拡径が容易になるように構成されている。また、外壁７には、前記スリット１０より上方位置から外方に突出して前記緊締環の外周面に連なるように垂下するスカート壁１２が形成され、前記緊締環７の上方を覆って、緊締環と外壁間や前記スリット部にゴミ等の進入を阻止すると共に、緊締環の上昇位置を規制するようにしてある。
【００１５】
一方、緊締環３は、図１に示すように、円筒壁１５の下端内周部に内側上方に傾斜するように等間隔のスリット１６（図３）で区切られた複数のフラップ片１７が形成され、前記キャップ本体の外壁７に嵌合した時にフラップ片１７が係止凹部９に嵌合してその先端が係止凹部９の水平面１３に当たって係止し、その下面が係止凹部の傾斜面と接触して保持されるようになっている。なお、本実施例では、緊締環３の外周面は、ファッション性を高め且つ操作し易いように緩やかに傾斜した階段状に形成してある。
【００１６】
本実施例のキャップは、以上のように構成され、容器口部に装着して閉栓した状態では、図１に示すように、緊締環３がキャップ本体の外壁７に外嵌合して密着し、その係止突部８が容器の環状係止部２１の下部に係止した状態に締め付けて容器口部の密閉状態を維持すると共に、外壁が拡径することを阻止し、開栓できないようになっている。その状態では、フラップ片１７は外壁７の係止凹部９に嵌まり込んで、その傾斜面１４と接触して保持されている状態にある。そして、この状態から緊締環３の上方への移動は、フラップ片１７と係止凹部の水平壁面との係合、及び円筒壁１５とスカート壁１２下端との係合によって阻止される。
【００１７】
開栓するときは、図１及び図２に示す状態から緊締環３を下方に下げる。その際、フラップ片１７は、係止凹部９の傾斜面下端部で押されて円筒壁１５側に変位するので、容易に押し下げることができる。但し、通常の状態ではフラップ片が係止凹部の傾斜面に保持されているため、下方への移動を一次的に阻止し、外壁の外側への拡径を阻止し、キャップ本体の容器口部からの離脱を防止することができる。図１に仮想線で示すように、緊締環３が下方に下がってその円筒壁１５が外壁７との嵌合が外れると、外壁７にはスリット１０が形成されているので、外壁は容易に拡がることができる。この状態でキャップ本体を上方に引き上げると、係止突部８が容易に容器口部の環状係止部２１を乗り超えることができ、楽に開栓することができる。
【００１８】
そして、開栓後再び閉栓する場合は、キャップ本体２を容器口部に押し込むことにより、外壁が拡径して容易に係止突部８が環状係止部２１を乗り超えて係止して、軽いシール性を維持することができる。しかしながら、一旦開栓してから再び閉栓した状態で、容器口部の下方部に位置している緊締環３を上方に引き上げてキャップ本体の外壁に元の状態に嵌合させようとしても、図１に仮想線で示すように、緊締環３のフラップ片１７はその弾性により元の形に復帰しているため、係止突片先端が外壁下端と容器口部外周との間の環状隙間２３に入り込むか、又は環状隙間が小さい場合は係止突片先端が外壁下端かあるいは外側係止部に突き当たるので、無理に引き上げるとキャップ本体も押し上げられ、図１に実線で示す元の位置まで上昇させることは不可能である。
【００１９】
従って、いたずら等で不正開栓後、図２に示すように元の状態に緊締環とキャップ本体とを密着嵌合することはできないので、不正開栓があったことをすぐ判別することができる。以上のように、本発明のキャップによれば、従来のようにタンパーエビデントバンドを連接している弱化線を破断する必要がないので、開栓が容易で且つ安全であり、しかも確実に不正開栓を防止することができる。
【００２０】
以上、本発明の好適な実施例を示したが本発明は、上記実施例に限るものでなく、その技術的思想の範囲内で種々の設計変更が可能であり、キャップの形式も螺子嵌合以外であれば、種々の形式のキャップに適用できる。また、本発明のキャップにおいて、キャップ本体は必ずしも合成樹脂製に限らず、金属製の例えば王冠式のキャップにも適用可能である。また、キャップ本体の外壁外周部に形成する外側係止部は、係止突片が係合する係止凹部であることが望ましいが、例えば、上方位置に形成された水平面と下方位置に形成された複数個の突起部とから形成されてもよい。さらに、係止突片は、必ずしも可撓性のフラップ片でなく、単に内方に突出した突起又は突片であっても可能である。
【００２１】
【発明の効果】
本発明の不正開栓防止キャップは、緊締環を破断させることなく単に下方に変位させるだけで簡単に且つ安全に開栓でき、しかも開栓後は前記緊締環を元の位置に戻すことはできないので、従来と比べて不正開栓が判別し易く確実な不正開栓防止機能を有する。しかも、開栓阻止位置の状態では、緊締環が外壁に密着嵌合して外壁の拡径を阻止し、確実に開栓を阻止することができる。
【００２２】
また、本発明の不正開栓防止キャップは、２部材で構成されているから、各部材の構造が簡単であり、成形が容易である。
【００２３】
外壁にスリットを形成することによって、開栓時に係止突部が容易に容器口部の環状係止部を乗り超えることができ、楽に開栓でき、且つ開栓後再び閉栓する際、外壁が拡径して容易に係止突部が環状係止部を乗り超えて係止させることができ、軽いシール性を維持することができる。
【００２４】
キャップ本体の外壁にスカート壁又は係止凹部を設けることによって、緊締環の上方への離脱を完全に阻止することができる。且つ、スカート壁を設けることによって、外壁に形成したスリット部や外壁と緊締環との間にゴミ等の進入を防ぐことができ且つキャップのファッション性を高めることができる。
【図面の簡単な説明】
【図１】本発明の実施例に係る不正開栓防止キャップを容器に装着した状態の一部断面図である。
【図２】本発明の実施例に係る不正開栓防止キャップを容器に装着した開栓阻止位置での正面図である。
【図３】緊締環の底面図である。
【図４】本発明の実施例に係る不正開栓防止キャップを容器に装着した開栓可能位置での正面図である。
【符号の説明】
１  不正開栓防止キャップ          ２  キャップ本体
３  緊締環                        ７  外壁
８  係止突部                      ９  係止凹部
１０  スリット                    １２  スカート壁
１５  円筒壁                      １６  スリット
１７  フラップ片                  ２０  容器
２１  環状係止部
【図１】
0003638662.tif 000002
【図２】
0003638662.tif 000003
【図３】
0003638662.tif 000004
【図４】
0003638662.tif 000005